(57)【要約】【課題】簡単な構造で確実に裏移りを防止でき、複数のインクジェットプリンタに兼用できる裏移り防止及び乾燥補助装置を提供する。【解決手段】インクジェットプリンタ１に付属して設置される裏移り防止及び乾燥補助装置１０は、フレーム１１がインクジェットプリンタ１の幅方向に間隔をあけて対向する脚柱１２を横梁１３で連結して形成され、フレーム１１にインクを吸着するための重合シートＳ２が巻回された重合シートロールＲ３を着脱自在に支持する重合シートロール支持軸１４が設けられたものとする。インクジェットプリンタ１により表面に印刷が施された媒体シートＳ１と、重合シートロール支持軸１４にセットされた重合シートロールＲ３から繰り出される重合シートＳ２が重なり合って巻取ロールＲ２に巻き取られる。【選択図】図１
2018111239.tif 000002
【特許請求の範囲】
【請求項１】
媒体ロール(R1)から繰り出された媒体シート(S1)の表面にインクを噴き付けて印刷するインクジェットプリンタ(1)に付属して設置される印刷媒体シートの裏移り防止及び乾燥補助装置(10)であって、
前記インクジェットプリンタ(1)の幅方向に間隔をあけて対向する脚柱(12)が横梁(13)で連結されてフレーム(11)が形成され、前記フレーム(11)に、インクを吸着するための重合シート(S2)が巻回された重合シートロール(R3)を着脱自在に支持する重合シートロール支持軸(14)が設けられ、
前記インクジェットプリンタ(1)により表面に印刷が施された媒体シート(S1)と、前記重合シートロール支持軸(14)にセットされた重合シートロール(R3)から繰り出される重合シート(S2)が重なり合って巻取ロール(R2)に巻き取られる印刷媒体シートの裏移り防止及び乾燥補助装置。
【請求項２】
前記フレーム(11)に、印刷が施され重合シート(S2)が重なる前の媒体シート(S1)の表面へ向けて温風を吹き付ける送風機(15)を備えた請求項１に記載の印刷媒体シートの裏移り防止及び乾燥補助装置。
【発明の詳細な説明】
【技術分野】
【０００１】
この発明は、業務用の大判インクジェットプリンタに適した印刷媒体シートの裏移り防止及び乾燥補助装置に関する。
【背景技術】
【０００２】
下記特許文献１には、図７に示すようなインクジェットプリンタが記載されている。このインクジェットプリンタは、媒体ロールＲ１１から繰り出された媒体シートＳ１１の表面に印刷を施し、媒体シートＳ１１を巻取ロールＲ１２に巻き取るものであって、媒体シートＳ１１の裏面がインクで汚れる裏移りを防止し、媒体シートＳ１１が互いに貼り付くブロッキング現象が生じないようにする裏移り防止機構を備えたものである。
【０００３】
このインクジェットプリンタでは、媒体シートＳ１１の表面にカラーインクヘッド５１からカラーインクを噴き付けて画像を印刷した後、クリアインクヘッド５２からクリアインクを噴き付けて画像のカラーインク層を被覆するオーバーコート層を形成する。
【０００４】
その後、媒体シートＳ１１をアフターヒータ５３でガラス転移点以上の温度になるように加熱し、冷却ファン５４からの送風によりガラス転移点未満に冷却して、パウダリング装置５５により媒体シートＳ１１にパウダを散布し、その状態で媒体シートＳ１１を巻取ロールＲ１２に巻き取る。
【先行技術文献】
【特許文献】
【０００５】
【特許文献１】特開２０１６−４３６１７号公報
【発明の概要】
【発明が解決しようとする課題】
【０００６】
しかしながら、上記のような裏移り防止機構は、走査動作を行うインクヘッドを並列に備えたものとなって、複雑で高価なものとなるほか、既存のインクジェットプリンタに組み込むことができず、また、複数のインクジェットプリンタに兼用することもできないという問題がある。
【０００７】
そこで、この発明は、簡単な構造で確実に印刷媒体シートの裏移りを防止でき、複数のインクジェットプリンタに兼用できる印刷媒体シートの裏移り防止及び乾燥補助装置を提供しようとするものである。
【課題を解決するための手段】
【０００８】
上記課題を解決するため、この発明に係る印刷媒体シートの裏移り防止及び乾燥補助装置は、媒体ロールから繰り出された媒体シートの表面にインクを噴き付けて印刷するインクジェットプリンタに付属して設置され、
前記インクジェットプリンタの幅方向に間隔をあけて対向する脚柱が横梁で連結されてフレームが形成され、前記フレームに、インクを吸着するための重合シートが巻回された重合シートロールを着脱自在に支持する重合シートロール支持軸が設けられ、
前記インクジェットプリンタにより表面に印刷が施された媒体シートと、前記重合シートロール支持軸にセットされた重合シートロールから繰り出される重合シートが重なり合って巻取ロールに巻き取られるものとしたのである。
【０００９】
また、前記フレームに、印刷が施され重合シートが重なる前の媒体シートの表面へ向けて温風を吹き付ける送風機を備え、媒体シートを巻取ロールに巻き取る前に、媒体シートの表面上のインクの乾燥を促進するようにしたのである。
【発明の効果】
【００１０】
この発明に係る裏移り防止及び乾燥補助装置をインクジェットプリンタでの印刷に際し使用すると、巻取ロールにおいて、媒体シートの表面と裏面の間に、不織布等から成る重合シートが挟まれた状態で、媒体シートと重合シートが巻き取られるので、媒体シートの表面に施された印刷のインクが媒体シートの裏面に移ることがなく、ブロッキング現象が防止され、媒体シートの印刷が保護される。
【００１１】
また、この裏移り防止及び乾燥補助装置は、既存のインクジェットプリンタに付属させて設置できるので、裏移り防止機構を備えたインクジェットプリンタを新規に購入する必要がなく、複数のインクジェットプリンタに兼用できるので、コストを抑制しつつ、裏移りによる印刷製品の品質低下を防止できる。
【図面の簡単な説明】
【００１２】
【図１】この発明の第１実施形態に係る裏移り防止及び乾燥補助装置がインクジェットプリンタに付属して設置された状態を示す側面図
【図２】同上の裏移り防止及び乾燥補助装置に重合シートロールをセットする過程を示す斜視図
【図３】同上の裏移り防止及び乾燥補助装置の正面図
【図４】同上の裏移り防止及び乾燥補助装置の使用状態を示す拡大側面図
【図５】同上の製品となる巻取ロールの拡大側面図
【図６】この発明の第２実施形態に係る裏移り防止及び乾燥補助装置の使用状態を示す拡大側面図
【図７】特許文献１に記載のインクジェットプリンタの概略側面図
【発明を実施するための形態】
【００１３】
まず、この発明の第１実施形態を図１−図５に基づいて説明する。
【００１４】
図１に示すように、この裏移り防止及び乾燥補助装置１０は、大きなサイズの吊り幕等の媒体シートＳ１の印刷に使用する業務用のインクジェットプリンタ１に付属して設置されるものである。
【００１５】
インクジェットプリンタ１は、媒体ロールＲ１から繰り出された媒体シートＳ１を送りつつ、媒体シートＳ１の表面に印刷ヘッド２からインクを噴き付けて印刷した後、正面から排出された媒体シートＳ１をガイド板３に沿わせて下方へ送り、巻取ロールＲ２に巻き取るものである。媒体ロールＲ１と巻取ロールＲ２は、紙管ｐの芯を有し、インクジェットプリンタ１に対して着脱されるロール体である。
【００１６】
図２及び図３に示すように、裏移り防止及び乾燥補助装置１０のフレーム１１は、インクジェットプリンタ１の幅方向に間隔をあけて対向する脚柱１２が高さ方向の上端部と中間部に渡された横梁１３で連結して形成されている。
【００１７】
そして、このフレーム１１には、高さ方向の中間部の横梁１３の両端寄りから起立する一対の軸受台に重合シートロール支持軸１４が設けられている。
【００１８】
重合シートロール支持軸１４は、不織布から成る重合シートＳ２が紙管ｐに巻回された重合シートロールＲ３を着脱自在に支持するものであり、重合シートロールＲ３を幅方向に位置決めするフランジを有する。
【００１９】
また、フレーム１１の上部の横梁１３には、重合シートロール支持軸１４の上方に送風機１５が設けられている。送風機１５は、ファン及びヒーターを内蔵し、後述のように、印刷が施された媒体シートＳ１の表面へ向けて温風を吹き付けるものである。
【００２０】
また、フレーム１１の両側の脚柱１２の下部には、それぞれ前後各一対のキャスタ１６と、ねじ式のレベル調整機能を有する固定用脚体１７が設けられている。
【００２１】
上記のような裏移り防止及び乾燥補助装置１０は、インクジェットプリンタ１での媒体シートＳ１の印刷に使用する際、キャスタ１６により適宜移動させ、図１及び図４に示すように、インクジェットプリンタ１の正面に向き合うように配置した状態で、固定用脚体１７を床面に接地させて、不意に移動しないように固定する。
【００２２】
このとき、固定用脚体１７のレベル調整機能により、重合シートロール支持軸１４の軸線と、インクジェットプリンタ１の巻取ロールＲ２の支持軸の軸線が平行となるように設定する。なお、裏移り防止及び乾燥補助装置１０に水準器を設けておけば、このレベル調整作業を容易に行うことができる。
【００２３】
次に、重合シートロール支持軸１４に重合シートロールＲ３をセットし、重合シートロールＲ３から重合シートＳ２を少し繰り出して、インクジェットプリンタ１の印刷部から送り出された媒体シートＳ１の先端部にテープで止め、それらの先端部を巻取ロールＲ２の紙管ｐにテープで止める。
【００２４】
そして、インクジェットプリンタ１を作動させ、表面に印刷が施された媒体シートＳ１と、重合シートロールＲ３から繰り出される重合シートＳ２が重なり合って巻取ロールＲ２に巻き取られるようにする。
【００２５】
この印刷過程において、表面にインクが載った媒体シートＳ１は、ガイド板３に沿って下方へ送られ、重合シートＳ２が重なる前の段階で、表面へ向けて送風機１５から吹き付けられる温風により、インクの乾燥が促進される。
【００２６】
このようにして形成された巻取ロールＲ２では、図５に示すように、重なり合う媒体シートＳ１の表面と裏面の間に、インクを吸着する不織布の重合シートＳ２が挟まれた状態となるので、媒体シートＳ１の表面に施された印刷のインクが重なり合う媒体シートＳ１の裏面に移ることがない。
【００２７】
また、重なり合う媒体シートＳ１の間に通気性のある重合シートＳ２が介在するので、製品としてインクジェットプリンタから取り出した後の巻取ロールＲ２を保管している間にもインクの乾燥が促進され、ブロッキング現象が確実に防止されて、巻取ロールＲ２から媒体シートＳ１を繰り出す時点においても、印刷が保護される。
【００２８】
また、この裏移り防止及び乾燥補助装置１０は、既存のインクジェットプリンタに付属させて設置できるので、印刷面保護のため裏移り防止機構を備えたインクジェットプリンタを新規に購入する必要がなく、複数のインクジェットプリンタに兼用できるので、コストを抑制しつつ、裏移りによる印刷製品の品質低下を防止できる。
【００２９】
なお、上記実施形態では、巻取ロールＲ２がインクジェットプリンタ側に支持されるものを例示したが、図６に示す第２実施形態のように、巻取ロールＲ２は、裏移り防止及び乾燥補助装置１０に設けられた巻取ロール支持軸１８に支持されるようにし、巻取ロールＲ２の着脱を容易に行えるようにしてもよい。
【００３０】
また、重合シートＳ２として、不織布から成るものを例示したが、重合シートＳ２は、インクを吸着する性質を有し、重なり合う媒体シートＳ１の間に通気性を確保できるものであれば、織布や紙等、他の材料のものであってもよい。
【００３１】
そのほか、重合シートロールＲ３が所定の品質の重合シートＳ２を巻回したものであるかを確認するため、消耗品として供給される重合シートロールＲ３の紙管ｐにＩＣタグ等の自動認識チップを取り付けておき、裏移り防止及び乾燥補助装置１０で使用の可否を認識できるようにしてもよい。
【符号の説明】
【００３２】
Ｒ１  媒体ロール
Ｒ２  巻取ロール
Ｒ３  重合シートロール
Ｓ１  媒体シート
Ｓ２  重合シート
ｐ  紙管
１  インクジェットプリンタ
２  印刷ヘッド
３  ガイド板
１０  裏移り防止及び乾燥補助装置
１１  フレーム
１２  脚柱
１３  横梁
１４  重合シートロール支持軸
１５  送風機
１６  キャスタ
１７  固定用脚体
１８  巻取ロール支持軸
【図１】
2018111239.tif 000003
【図２】
2018111239.tif 000004
【図３】
2018111239.tif 000005
【図４】
2018111239.tif 000006
【図５】
2018111239.tif 000007
【図６】
2018111239.tif 000008
【図７】
2018111239.tif 000009